(57)【特許請求の範囲】
【請求項１】
所定の領域のみに螺旋状にねじ溝部を形成したリードスクリューと、このリードスクリューに歯合する歯部を有するラック部と、このラック部を前記リードスクリューに対して接近離脱可能に支持し、かつ光ピックアップ装置に接合する固定部と、前記ラック部を前記リードスクリューに押圧する付勢部材と、前記所定の領域内において前記歯部が前記ねじ溝部を乗り越えた際に、前記リードスクリューに当接するストッパとを備え、前記リードスクリューの回転を前記ラック部および前記固定部を介して光ピックアップ装置に伝達して、光ピックアップ装置を前記リードスクリューに沿って移動させる光ピックアップ送り装置において、
前記所定の領域の境界において前記歯部が前記リードスクリューの前記ねじ溝部の形成されていない領域に達した際に、前記リードスクリューが回転可能な状態で前記ストッパと当接する構成にしたことを特徴とする光ピックアップ送り装置。
【発明の詳細な説明】
【０００１】
本発明は、ＣＤ−ＲＯＭ，ＣＤ−Ｒ，ＣＤ−ＲＷ、ＤＶＤ等の光ディスクドライブ装置に適用され、光ピックアップ装置を光ディスクの半径方向に移動させるための光ピックアップ送り装置に関する。
【０００２】
【従来の技術】
図６は従来の光ピックアップ送り装置の概略構成を示す斜視図であり、１は光ディスクに光を照射して反射光を検出する光ピックアップ装置、２は光ピックアップ装置１を支持するガイドシャフト、３は螺旋状のねじ溝３ａが表面に形成されているリードスクリュー、４はリードスクリュー３を回転させる駆動モータを示す。
【０００３】
２本のガイドシャフト２，２およびリードスクリュー３が図示しないシャーシ上にそれぞれ平行に並列配置されており、光ピックアップ１はガイドシャフト２，２に沿って摺動可能に設置されている。駆動モータ４および図示しない光ディスク載置用のターンテーブルを備えたディスクモータとともに、図示しないシャーシ上に設置されている。
【０００４】
５は、光ピックアップ装置１に固定され、リードスクリュー３の回転を光ピックアップ装置１に伝達するラック体を示す。このラック体５は、光ピックアップ装置１に固定する固定部６と、リードスクリュー３のねじ溝３ａに歯合する歯部７を有するラック部８と、固定部６とラック部８とを連結する連結部９とから構成されており、固定部６とラック部８とは所定の間隔を空けて対向配置され、固定部６とラック部８との底部が連結部９によって連結されている。また、ラック体５は樹脂製であり、一体成形により固定部６、ラック部８、連結部９が形成される。そのうちの連結部９は板ばねとして機能するように薄肉に形成されており、ラック部８は連結部９によってリードスクリュー３に対して接近離脱する方向に揺動可能になる。
【０００５】
１０は、固定部６とラック部８との間に設けられ、ラック部８をリードスクリュー３側に押圧する付勢ばねを示す。この付勢ばね１０の押圧力によって、ラック部８は、常時リードスクリュー３に押圧されている。
【０００６】
そして、駆動モータ４の回転により、リードスクリュー３が回転し、それに伴ってラック体５がリードスクリュー３に沿って移動することによって光ピックアップ装置１が、図示しない光ディスクの半径方向に移動する。光ピックアップ装置１が図示しない光ディスクの最内周若しくは最外周に位置した時に駆動モータ４が回転した場合、付勢ばね１０は圧縮され、歯部７がねじ溝３ａを乗り越えることができ、噛み込み現象を防止することができる。
【０００７】
従来におけるこの種の技術としては、例えば特開平１１−１４４４０８号公報に記載された光ピックアップ送り装置がある。
【０００８】
この公報記載の光ピックアップ送り装置によれば、リードスクリューのねじ溝部に係合する歯部を設けたラック部がリードスクリューに接近離脱する方向に移動可能であり、トラバース機構を構成するシャーシに対向するストッパがラック部に設けられている。ねじ溝部と歯部が係合した状態でのシャーシとストッパの間隔は、歯部がねじ溝部を乗り越えた場合にのみ、ストッパとシャーシが接触するように設定されている。このため、衝撃などの外力が加わり、歯部がねじ溝部を乗り越えて光ピックアップが移動する時、ストッパとシャーシとが当接するため、その当接部分に摩擦力が発生する。そして、摩擦力によって光ピックアップ移動の加速度が軽減されるために、光ピックアップが他部品に衝突したとしても、その衝撃を和らげることができる。
【０００９】
【発明が解決しようとする課題】
一般の光ディスクドライブ装置に搭載された光ピックアップ装置は、落下時などの衝撃、振動などの強度の外力によって、移動してしまう恐れがある。その移動量が大きい場合には、光ピックアップ装置が他部品と衝突してしまい、最悪の場合、光ピックアップ装置の故障が起きてしまう。この現象は、光ピックアップ装置を移動させるためのリードスクリューのねじ溝を、光ピックアップ装置に接合された部材に設けられ、ねじ溝に係合する歯部が乗り越えるために発生する。したがって、単純に歯部がねじ溝を乗り越えないよう歯部の動きを規制すれば、光ピックアップ装置が他部品に衝突する事態を回避することが可能であるが、今度は光ピックアップ装置が最内周若しくは最外周に位置したときに、歯部のねじ溝への噛み込みが起こってしまう。
【００１０】
特に、図６に示す装置では、落下などの強度の衝撃力が負荷した場合、歯部７がねじ溝部３ａを乗り越えてしまって光ピックアップ装置１が移動してしまい、最悪の場合、光ピックアップ装置１は図示しないシャーシ等の他部品に衝突してしまって故障を招きかねないおそれがある。
【００１１】
また、特開平１１−１４４４０８号公報に記載された光ピックアップ送り装置においては、ラック部に設けたストッパとシャーシとを当接させる必要があるため、レイアウト上、組み立てが困難な場合が十分に考えられる。
【００１２】
本発明は、このような問題点を解決し、光ピックアップ装置が他部品に衝突するような事態に陥ったとしても、その時に光ピックアップ装置が受ける衝撃を軽減し、衝突による光ピックアップ装置の故障の発生を抑えることを実現した光ピックアップ送り装置を提供することを目的とする。
【００１３】
【課題を解決するための手段】
前記目的を達成するため、請求項１に係る発明は、所定の領域のみに螺旋状にねじ溝部を形成したリードスクリューと、このリードスクリューに歯合する歯部を有するラック部と、このラック部を前記リードスクリューに対して接近離脱可能に支持し、かつ光ピックアップ装置に接合する固定部と、前記ラック部を前記リードスクリューに押圧する付勢部材と、前記所定の領域内において前記歯部が前記ねじ溝部を乗り越えた際に、前記リードスクリューに当接するストッパとを備え、前記リードスクリューの回転を前記ラック部および前記固定部を介して光ピックアップ装置に伝達して、光ピックアップ装置を前記リードスクリューに沿って移動させる光ピックアップ送り装置において、前記所定の領域の境界において前記歯部が前記リードスクリューの前記ねじ溝部の形成されていない領域に達した際に、前記リードスクリューが回転可能な状態で前記ストッパと当接する構成にしたことを特徴とする。このように構成したことにより、衝撃などの強度の外力が加わり、歯部がねじ溝部を乗り越え、光ピックアップ装置が移動した場合、ストッパがリードスクリューに当接するため、そこに摩擦力が発生し、その摩擦力が、光ピックアップ装置の移動加速度に対し反対方向に働くので、光ピックアップ装置が他部品に衝突するような事態に陥ったとしても、その時の衝撃を軽減することが可能となる。しかも、ストッパがリードスクリューに当接していても、リードスクリューは回転可能であるため、例えば光ピックアップ装置が最内周若しくは最外周に位置して、歯部がリードスクリューのねじ溝部の形成されていない領域に達したときにも、噛み込み現象は発生しない。
【００１８】
【発明の実施の形態】
以下、本発明の実施形態について、図面を参照しながら詳細に説明する。なお、図６に示す従来技術おける部材と同一の部材については同一の符号を付して、詳細な説明は省略した。
【００１９】
図１は本発明の第１実施形態における光ピックアップ送り装置を有する光ディスク装置の概略構成を示すブロック図であり、２０は光ピックアップ装置１を光ディスク２１の径方向に移動させる光ピックアップ送り装置、２２は光ディスク２１を回転させるディスクモータ、２３は記録補償回路、２４はＲＦ信号処理回路、２５は変調／復調回路、２６はＣＰＵ、２７はサーボ制御回路を示す。
【００２０】
変調／復調回路２５には、オーディオ回路や、画像圧縮／伸張回路、あるいはコンピュータと接続のためのインターフェイスが接続され、利用目的に応じて信号が入出力される。記録補償回路２３には記録信号によってレーザ変調する回路などが含まれている。またＲＦ信号処理回路２４には読取信号の波形を整形する回路などが含まれている。サーボ制御回路２７は読取信号よりトラッキング誤差信号やフォーカス誤差信号等の誤差成分を検出し、光ピックアップ装置１やディスクモータ２２にフィードバックして誤差成分をなくすようにサーボ制御するものである。このサーボ制御にはフォーカスサーボやトラッキングサーボ、ピックアップ送りサーボがある。また、ピックアップ送り装置２０には送りねじ方式やラックピニオン方式、リニヤモータ方式等が知られている。
【００２１】
通常、ピックアップ送りサーボにはトラッキング誤差信号が用いられる。そして、トラッキング誤差信号が一定の値以上になると駆動モータ４（図６参照）に電流を流し、駆動モータ４を回転させる。駆動モータ４の回転によりピックアップ装置１全体が光ディスク２１の径方向に移動する。駆動モータ４への電流はトラッキング誤差信号が一定の値より小さくなると流れなくなり駆動モータ４の回転を停止させる。アクセス時においてはピックアップ送りサーボのループを使用せず、駆動モータ４に正または負の一定電流を流し、光ピックアップ装置１を光ディスク２１の内周から外周へ、あるいはその逆方向に高速で移動させる。この間のトラッキング誤差信号のゼロクロス点等をカウントすることにより目的の移動先近くまでアクセスする。移動先付近まで達すると、ピックアップ送りサーボを動作させ信号を再生し、目標位置に対するずれを演算し、再度トラック数のカウントによる送りまたは戻し送りあるいはトラックジャンプを行って目標位置へアクセスする。
【００２２】
なお、図１に示す光ディスク装置は記録再生型のドライブ装置であるが、記録補償回路２３を省略した再生型ドライブ装置であってもよい。
【００２３】
図２は本発明の第１実施形態における光ピックアップ送り装置の概略構成を示す斜視図であり、１５はストッパを示す。このストッパ１５はラック部８の上部からＬ字状に延在したものであり、ラック体５を設置した際、ラック部８とストッパ１５によってリードスクリュー３の両側部が囲まれる。
【００２４】
図３は図１におけるリードスクリュー周辺の構成を示す側面図であり、通常は、付勢ばね１０による付勢によってラック部８に設けた歯部７とねじ溝３ａとが歯合した状態にあり、ラック部８に対向するストッパ１５の面と、リードスクリュー３における歯部７との歯合部位に対して反対側の部位の間に隙間ｘが形成されている。また、ラック体５は樹脂製であり、一体成型により固定部６、ラック部８、連結部９、ストッパ１５が形成される。
【００２５】
図３に示すように、歯部７がリードスクリュー３のねじ溝３ａに係合した状態においては、ストッパ１５はリードスクリュー３と隙間ｘがあり、リードスクリュー３に接触していない。この隙間ｘは、図４に示すように、歯部７がねじ溝３ａを乗り越えた場合にストッパ１５がリードスクリュー３に当接するように設定されている。
【００２６】
そして、落下などの衝撃が印加されて、歯部７がねじ溝３ａを乗り越えてしまう場合、ストッパ１５はリードスクリュー３に当接するため、光ピックアップ装置１が移動しても、光ピックアップ装置１の移動方向に相反する方向に作用する摩擦力により、光ピックアップ装置１の加速度は減少する。このため、光ピックアップ装置１の移動量が減少するため、光ピックアップ装置１が図示しないシャーシの一部等の他部品に衝突する確率が低下し、万が一、他部品に光ピックアップ装置１が衝突する事態が発生しても、その衝撃を緩和することができ、衝撃による光ピックアップ装置１の故障発生率を抑えることが可能となる。また、ストッパ１５がリードスクリュー３に当接していても、リードスクリュー３は回転可能であるため、光ピックアップ装置１が最内周位置若しくは最外周位置にあっても、噛み込み現象は発生しない。
【００２７】
なお、本実施形態によれば、ストッパ１５とリードスクリュー３との摩擦力によって、衝撃を受けた際の光ピックアップ装置１の加速度を抑制しているので、ストッパ１５におけるリードスクリュー３との当接面の動摩擦係数が高い方が望ましく、この場合、例えば、ストッパ１５を動摩擦係数の高い材料で構成したり、当接面を粗面にすることが考えられる。また、大きい摩擦力を得ることにより、衝撃による光ピックアップ装置１の故障率をより低下させることができる。
【００２８】
図５は本発明の第２実施形態における光ピックアップ送り装置のリードスクリュー周辺の構成を示す側面図であり、１６はゴムシートを示す。第２実施形態は、図３に示す第１実施形態におけるストッパ１５におけるリードスクリュー３との当接面にゴムシート１６を貼付したものであり、通常状態では、リードスクリュー３とゴムシート１６の表面との間に隙間ｘが形成されている。
【００２９】
このように構成したことにより、ゴムシート７は動摩擦係数が高いので、ストッパ１５とリードスクリュー３との間において、より大きな摩擦力を得ることができる。また、ゴムシート１６のストッパ１５への固定方法は貼付であるので、組立性が良好になる。
【００３０】
【発明の効果】
以上、説明したように構成された本発明によれば、衝撃などの強度の外力が加わり、歯部がねじ溝部を乗り越え、光ピックアップ装置が移動した場合、ストッパがリードスクリューに当接するため、その当接部分に光ピックアップ装置の移動加速度に対し反対方向に働く摩擦力が発生するので、光ピックアップ装置が他部品に衝突するような事態に陥ったとしても、その時の衝撃を軽減することが可能となり、衝突による光ピックアップ装置の故障の発生を抑えることができる。また、光ピックアップ装置が最内周若しくは最外周に位置して歯部がリードスクリューのねじ溝部の形成されていない領域に達したとき、ストッパがリードスクリューに当接していても、リードスクリューは回転可能であるため、噛み込み現象は発生しない。
【図面の簡単な説明】
【図１】本発明の第１実施形態における光ピックアップ送り装置を有する光ディスク装置の概略構成を示すブロック図
【図２】本発明の第１実施形態における光ピックアップ送り装置の概略構成を示す斜視図
【図３】図１におけるリードスクリュー周辺の構成を示す側面図
【図４】図３において、光ピックアップ装置に衝撃が印加されて、歯部がねじ溝を乗り越えてしまう場合におけるリードスクリュー周辺の構成を示す側面図
【図５】本発明の第２実施形態における光ピックアップ送り装置のリードスクリュー周辺の構成を示す側面図
【図６】従来の光ピックアップ送り装置の概略構成を示す斜視図
【符号の説明】
１  光ピックアップ装置
２  ガイドシャフト
３  リードスクリュー
３ａ  ねじ溝
４  駆動モータ
５  ラック体
６  固定部
７  歯部
８  ラック部
９  連結部
１０  付勢ばね
１５  ストッパ
１６  ゴムシート
２０  光ピックアップ送り装置
２１  光ディスク
２２  ディスクモータ
２３  記録補償回路
２４  ＲＦ信号処理回路
２５  変調／復調回路
２６  ＣＰＵ
２７  サーボ制御回路
【図１】
0003883187.tif 000002
【図２】
0003883187.tif 000003
【図３】
0003883187.tif 000004
【図４】
0003883187.tif 000005
【図５】
0003883187.tif 000006
【図６】
0003883187.tif 000007